【手続補正書】
【提出日】平成19年4月23日(2007.4.23)
【手続補正１】
【補正対象書類名】明細書
【補正対象項目名】特許請求の範囲
【補正方法】変更
【補正の内容】
【特許請求の範囲】
【請求項１】  非特異的吸着を低減させるための方法であって、分析用デバイスまたはバイオセンシングデバイスにおける荷電した表面または荷電した基板上に、ポリイオン性多機能コポリマーを塗布またはコーティングする工程を包含し、
ここで該ポリイオン性多機能コポリマーが、荷電したポリイオン性ポリマー骨格にグラフト化された非相互作用性ポリマー側鎖を含み、そして
ここで該荷電した基板または表面が、金属および金属酸化物および荷電したポリマーからなる群から選択される材料を含む、方法。
【請求項２】  前記ポリマー骨格が、４より大きいｐＨでカチオン性電荷を有する、請求項１に記載の方法。
【請求項３】  請求項２に記載の方法であって、ここで前記ポリマー骨格が、カチオン性骨格を含み、該カチオン性骨格は、４より大きいｐＨで該骨格に正電荷を付与するアミノ酸含有側鎖を含むポリマー、多糖類、ポリアミン、４級アミンのポリマー、および荷電した合成ポリマーからなる群から選択される、方法。
【請求項４】  請求項３に記載の方法であって、ここで前記カチオン性骨格が、Ｄ−配置、Ｌ−配置もしくはＤＬ配置のリシン、ヒスチジン、アルギニンおよびオルニチン、キトサン、部分的に脱アセチルしたキチン、中性多糖類のアミン含有誘導体；ポリ（アミノスチレン）、ポリ（アミノアクリレート）、ポリ（Ｎ−メチルアミノアクリレート）、ポリ（Ｎ−エチルアミノアクリレート）、ポリ（Ｎ，Ｎ−ジメチルアミノアクリレート）、ポリ（Ｎ，Ｎ−ジエチルアミノアクリレート）、ポリ（アミノメタクリレート）、ポリ（Ｎ−メチルアミノメタクリレート）、ポリ（Ｎ−エチルアミノメタクリレート）、ポリ（Ｎ，Ｎ−ジメチルアミノメタクリレート）、ポリ（Ｎ，Ｎ−ジエチルアミノメタクリレート）、ポリ（エチレンイミン）、ポリ（Ｎ，Ｎ，Ｎ−トリメチルアミノアクリレートクロリド）、ポリ（メチルアクリルアミドプロピルトリメチルアンモニウムクロリド）、ポリエチレンイミン、ポリアミノ（メタ）アクリレート、ポリアミノスチレン、ポリアミノエチレン、ポリ（アミノエチル）エチレン、ポリアミノエチルスチレン、ならびにこれらのＮ−アルキル誘導体からなる群から選択される、１つ以上のユニットを含む、方法。
【請求項５】  前記ポリマー骨格が、４より大きいｐＨでアニオン性電荷を有する、請求項１に記載の方法。
【請求項６】  前記アニオン性骨格が、４より大きいｐＨで該骨格に負電荷を付与する、アミノ酸を含有する荷電したペンダント基を含むポリマー、多糖類および負に荷電したペンダント基を有する荷電した合成ポリマーからなる群から選択されるポリマーを含む、請求項５に記載の方法。
【請求項７】  請求項６に記載の方法であって、ここで前記アニオン性骨格が、ポリアスパラギン酸、ポリグルタミン酸、アルギナート、カラゲーニン、ファーセレラン、ペクチン、キサンタン、ヒアルロン酸、ヘパリン、ヘパラン硫酸、コンドロイチン硫酸、デルマタン硫酸、デキストラン硫酸、ポリ（メタ）アクリル酸、酸化セルロース、カルボキシメチルセルロースおよびクロスマルメロース、マレイン酸ポリマー、ならびにフマル酸ポリマーからなる群から選択される１つ以上のユニットを含む、方法。
【請求項８】  請求項１に記載の方法であって、ここで前記非相互作用性ポリマーが、ポリ（アルキレングリコール）、ポリ（アルキレンオキシド）、中性水溶性多糖類、ポリビニルアルコール、ポリ−Ｎ−ビニルピロリドン、ホスホリルコリン誘導体、非カチオン性ポリ（メタ）アクリレートおよびこれらの組合せからなる群から選択される、方法。
【請求項９】  前記非相互作用性ポリマーが、該ポリマーの末端においてまたは末端の近傍において、さらなる官能化に適切な反応性基で、完全にまたは部分的に改変される、請求項１に記載の方法。
【請求項１０】  前記反応性基が、ヒドロキシ（−ＯＨ）、カルボキシ（−ＣＯＯＨ）、エステル（−ＣＯＯＲ）、チオール（−ＳＨ）、Ｎ−ヒドロキシ−スクシンイミジル、マレイミジル、キノン、ビニルスルホン基、およびこれらの組合せからなる群から選択される、請求項９に記載の方法。
【請求項１１】  前記非相互作用性ポリマーのいくつかまたは全てが、該非相互作用性ポリマーの遊離の末端位置においてまたは該末端位置の近傍において、標的分子を特異的に認識し、かつ相互作用する機能性分子で、部分的または完全に官能化される、請求項１に記載の方法。
【請求項１２】  前記機能性分子が、タンパク質リガンド、ポリヌクレオチド、炭水化物リガンドまたは糖リガンド、単純な有機分子、およびこれらの組み合わせからなる群から選択される、請求項１１に記載の方法。
【請求項１３】  前記機能性分子が、ビオチンである、請求項１２に記載の方法。
【請求項１４】  前記材料が負電荷を有し、かつ９未満の等電点を有する酸化物および表面前処理によって導入された負電荷を有する材料からなる群から選択される、請求項１に記載の方法。
【請求項１５】  前記材料が、酸化タンタル、酸化ニオブ、酸化チタン、酸化ハフニウム、酸化ケイ素、酸化鉄および酸化クロム；鉄、クロム、鋼、タンタル、ニオブ、チタン、ハフニウム、金および銀からなる群から選択され、これらは、使用されるｐＨにおいて、ネイティブの酸化物フィルムの存在に起因して負電荷を帯びるか、または負電荷を該材料に誘起するように処理されているかのいずれかである、請求項１４に記載の方法。
【請求項１６】  前記材料が、正電荷を有し、かつ５より大きい等電点（ＩＥＰ）を有する酸化物および４より大きいｐＨで表面上に正電荷を付与するように処理された酸化物または金属からなる群から選択される、請求項１に記載の方法。
【請求項１７】  前記材料が、酸化タンタル、酸化ニオブ、酸化チタン、酸化ハフニウム、酸化ケイ素、酸化鉄および酸化クロム；鉄、クロム、鋼、タンタル、ニオブ、チタン、ハフニウム、金および銀からなる群から選択され、これらは、使用されるｐＨにおいて、ネイティブの酸化物フィルムの存在に起因して正電荷を帯びるか、または正電荷を該材料に誘起するように処理されているかのいずれかである、請求項１６に記載の方法。
【請求項１８】  請求項１１に記載の方法であって、前記官能化コポリマーを、流体相の官能基により結合される検体に曝し、次いで該官能化コポリマーを基板または表面上全体に吸着させる工程を包含する、方法。
【請求項１９】  前記官能化コポリマーを官能基により結合される検体に曝す工程を包含する、請求項１１に記載の方法であって、ここで該官能化コポリマーが、該検体が結合する前または後に、基板または表面上に吸着される、方法。
【請求項２０】  請求項１１に記載の方法であって、非相互作用性ポリイオン性多機能コポリマーを、表面もしくは基板上に該コポリマーの電荷と反対の電荷を有する分析用デバイスもしくはセンシングデバイス内の該表面もしくは基板に、または該デバイス上の該表面もしくは基板に、または該デバイスを形成する該表面もしくは基板に塗布する工程を包含し、
ここでいくつかの該非相互作用性ポリマーの側鎖が、標的分子を特異的に認識しかつ標的分子と相互作用する機能性部分で官能化され、そしていくつかの該非相互作用性ポリマーの側鎖が官能化されない、方法。
【請求項２１】  前記官能化されたコポリマーおよび非官能化コポリマーが、続けて塗布される、請求項２０に記載の方法。
【請求項２２】  前記官能化されたコポリマーが、前記基板または表面に吸着され、そして検体に曝され、次いで前記非官能化コポリマーが、該基板または表面に吸着される、請求項２１に記載の方法。
【請求項２３】  前記官能化されたコポリマーが、物理吸着または化学吸着により前記基板または表面に結合される、請求項１１に記載の方法。
【請求項２４】  前記官能化コポリマーが、共有化学結合により前記基板または表面に結合される、請求項１１に記載の方法。
【請求項２５】  前記表面が、吸着された、非改変のかつ／または非官能化ポリイオン性コポリマーを有する領域、および吸着された、改変かつ／または官能化ポリイオン性コポリマーを有する領域でパターン付けされる、請求項１１に記載の方法。
【請求項２６】  前記パターンが、ミリメートル、マイクロメートルまたはマイクロメートル未満の範囲で、前記表面に対して平行な寸法を有する、請求項２５に記載の方法。
【請求項２７】  前記パターン付けが、流体、微小流体、スタンピングまたは微小接触プリンティングにより行われる、請求項２５に記載の方法。
【請求項２８】  前記ポリイオン性コポリマーが、前記基板または表面上に塗布され、次いで機能性分子が、流体、微小流体、スタンピング、微小接触プリンティングまたはインクジェット技術によって規定された表面パターンで該コポリマー上に結合される、請求項２５に記載の方法。
【請求項２９】  請求項１〜２８のいずれかに記載の方法により形成される、ポリマーコーティングされた基板または表面。
【請求項３０】  分析用デバイスまたはバイオセンシングデバイスにおいて使用するためのデバイスまたは材料における表面または基板に適用される請求項１〜２８のいずれかに記載の方法により形成された、ポリマーコーティングされた基板または表面。
【請求項３１】  検体の定性的または定量的な測定または検出のための、請求項２９に記載のポリマーコーティングされた基板または表面の使用。
【請求項３２】  前記検体が、ポリヌクレオチド、ペプチド、タンパク質、炭水化物、糖質、および糖タンパク質からなる群から選択される、請求項３１に記載の使用。
【請求項３３】  前記ポリイオン性コポリマーでコーティングされた基板または表面に固定された検体の量が、電磁放射を測定もしくは使用するか、または吸収、散乱、放射、熱的現象のような方法またはこれらの組合せを使用することにより決定される、請求項３１に記載の使用。
【請求項３４】  前記検体の量が、導波管を使用して決定される、請求項３３に記載の使用。
【請求項３５】  前記導波管が、該導波管内に励起光を結合させるための１つ以上の光学的結合要素を備える、請求項３４に記載の使用。
【請求項３６】  前記光学結合要素が、プリズムカップラー、重複するエバネッセント場を有する接続された光学導波管を備えるエバネッセントカップラー、該導波管に隣接して配置される好ましくは円筒形のレンズである焦点レンズを備えるエンドフェーズカップラーおよびゲーティングカップラーならびにこれらの組合せからなる群から選択される、請求項３５に記載の使用。
【請求項３７】  前記光学結合要素が、長方形、三角形またはシヌソイドの輪郭のような任意の輪郭を有するレリーフ格子、および前記導波管において屈折率の周期的変調を有する位相格子または体積格子ならびにこれらの組合せからなる群から選択される回折格子である、請求項３６に記載の使用。
【請求項３８】  前記光学結合要素のうち１つ以上が、長方形の輪郭を有する回折レリーフ格子である、請求項３７に記載の使用。
【請求項３９】  前記検体が、連続型のプロセスを使用して検出される、請求項３３に記載の使用。
【請求項４０】  前記官能化ポリイオン性コポリマーが、パターンで塗布され、そして検出が、該パターンの特定の領域に局在化される、請求項３３に記載の使用。
【請求項４１】  前記パターンが、複数の検体を検出するための異なる機能性分子の領域を含む、請求項４０に記載の使用。
【請求項４２】  金属表面または金属酸化物表面上の表面に対する細胞の相互作用を改変するための、請求項２９に記載のポリマーコーティングされた基板または表面の使用。
【請求項４３】  前記基板が、分析用デバイスまたはバイオセンシングデバイスのための材料である、請求項４２に記載の使用。